(57)【要約】【課題】煩雑な作業をすることなく画像編集することができる画像表示装置を提供する。【解決手段】表示可能領域を有する可撓性の画像表示手段１と、該画像表示手段１の表示可能領域に表示する画像データを記憶する記憶手段３，５と、画像表示手段１の折り曲げによる撓みを検出する検出手段２と、該検出手段２が画像表示手段１の折り曲げによる撓みを検出したとき、その撓みに応じて画像データをページ戻しまたはページ送りして表示する制御手段６とを備えた。【選択図】図１１
2010211211.tif 000002
【特許請求の範囲】
【請求項１】
表示可能領域を有する可撓性の画像表示手段と、
該画像表示手段の表示可能領域に表示する画像データを記憶する記憶手段と、
前記画像表示手段の折り曲げによる撓みを検出する検出手段と、
該検出手段が前記画像表示手段の折り曲げによる撓みを検出したとき、その撓みに応じて画像データをページ戻しまたはページ送りして表示する制御手段とを備えたことを特徴とする画像表示装置。
【請求項２】
前記制御手段は、前記画像表示手段の表側が山になる撓みを検出したとき、画像データをページ送りして表示することを特徴とする請求項１に記載の画像表示装置。
【請求項３】
前記制御手段は、前記画像表示手段の表側が谷になる撓みを検出したとき、画像データをページ戻し表示することを特徴とする請求項１または２に記載の画像表示装置。
【請求項４】
前記制御手段は、前記画像表示手段の右側の表側が山になる撓みを検出したとき、画像データをページ送りして表示することを特徴とする請求項１に記載の画像表示装置。
【請求項５】
前記制御手段は、前記画像表示手段の左側の表側が山になる撓みを検出したとき、画像データをページ戻して表示することを特徴とする請求項１または４に記載の画像表示装置。
【請求項６】
前記制御手段は、前記表示手段の撓みが大きいとき画像データのページ送りまたはページ戻しを早めることを特徴とする請求項１から５のいずれかに記載の画像表示装置。
【請求項７】
前記検出手段は、前記画像表示手段に配設され、切り込みを有する光ファイバと、該光ファイバの一端に光を導入する光源と、前記光ファイバの他端から導出する光の光量を測定する光センサとからなることを特徴とする請求項１から５のいずれかに記載の画像表示装置。
【発明の詳細な説明】
【技術分野】
【０００１】
本発明は、電子ブックや電子手帳等に使用される画像表示装置に関する。
【背景技術】
【０００２】
従来の画像表示装置では、画像のページ送りやページ戻し、拡大・縮小、レイアウトの変更等の編集をする際、ボタン操作により画像編集を指示したり、専用のペンにより指示する方法が提案されている。
【０００３】
しかしながら、このような操作ボタンや専用ペンによる方法では、作業が煩雑であるという問題があった。
【発明の概要】
【発明が解決しようとする課題】
【０００４】
本発明は、煩雑な作業をすることなく、画像編集することができる画像表示装置を提供することを課題とする。
【課題を解決するための手段】
【０００５】
前記課題を解決するために、本発明は、画像表示装置の撓みを検出して、その撓みに応じて画像編集するものである。
【０００６】
すなわち、本発明は、表示可能領域を有する可撓性の画像表示手段と、該画像表示手段の表示可能領域に表示する画像データを記憶する記憶手段と、前記画像表示手段の折り曲げによる撓みを検出する検出手段と、該検出手段が前記画像表示手段の折り曲げによる撓みを検出したとき、その撓みに応じて画像データをページ戻しまたはページ送りして表示する制御手段とを備えたものである。ここで、前記画像表示手段の表側が山になる撓みを検出したとき、画像データをページ送りして表示することができる。また、逆に、前記画像表示手段の表側が谷になる撓みを検出したとき、画像データをページ戻し表示することができる。あるいは、前記画像表示手段の右側の表側が山になる撓みを検出したとき、画像データをページ送りして表示することができる。逆に、前記画像表示手段の左側の表側が山になる撓みを検出したとき、画像データをページ戻して表示することができる。また、前記表示手段の撓みが大きいとき画像データのページ送りまたはページ戻しを早めることが好ましい。
【０００７】
前記検出手段としては、前記画像表示手段に配設され、切り込みを有する光ファイバと、該光ファイバの一端に光を導入する光源と、前記光ファイバの他端から導出する光の光量を測定する光センサとから構成することができる。また、前記画像表示手段の表面に配設された可撓性導電部材と、該導電性部材の両端に抵抗を介して接続された電源と、前記抵抗の両端の電圧を検出する電圧センサとから構成することもできる。さらに、前記画像表示部の表面に列設された複数の光センサから構成することもできる。
【作用】
【０００８】
前記発明によると、画像表示装置をもつユーザが画像表示装置を折り曲げにより撓ませると、その撓みに応じて画像データが所定領域に制限されて縮小表示され、レイアウトが変更され、あるいはページ送りあるいはページ戻しされるので、ボタンや専用ペンによる煩雑な操作する必要がなくなる。
【発明の効果】
【０００９】
以上の説明から明らかなように、本発明によれば、ユーザの動作による画像表示手段の撓みを検出し、その検出結果に応じた画像編集を自動的に行うことで、ユーザの平易な操作による画像編集をすることができ、ユーザの操作上の負担を軽減することができる。
【図面の簡単な説明】
【００１０】
【図１】本発明の第１参考例にかかる画像表示装置のブロック図。
【図２】画像表示部の概略拡大断面図。
【図３】撓み検出部の配置を示す平面図。
【図４】撓み検出部の動作を示す正面図。
【図５】画像表示部の撓み状態による撓み検出部の光センサの検出光量の変化を示す図。
【図６】画像表示部のエリアを示す平面図。
【図７】画像表示部の編集内容の一例を示す平面図。
【図８】第２参考例に係る画像表示部の編集内容の例を示す平面図。
【図９】第２参考例に係る画像表示部の編集内容の他の例を示す平面図。
【図１０】第２参考例に係る画像表示部の編集内容のさらに他の例を示す平面図。
【図１１】本発明の実施形態にかかる画像表示装置の斜視図。
【図１２】画像表示部の撓み状態による撓み検出部の光センサの検出光量の変化を示す図。
【図１３】撓み検出手段の他の例を示す斜視図。
【図１４】図１３のＩ−Ｉ線断面図。
【図１５】図１３の画像表示部が折り曲げられた状態における可撓性導電部材の接触状態を示す断面図。
【図１６】図１３の撓み検出手段の変形例を示す断面図。
【図１７】撓み検出手段のさらに他の例を示す斜視図。
【図１８】図１７のＩＩ−ＩＩ線断面図。
【図１９】図１７の画像表示部が折り曲げられた状態を示す断面図、およびその各状態における光センサ検出光量を示す図。
【図２０】図１７の撓み検出手段の変形例を示す断面図。
【発明を実施するための形態】
【００１１】
以下、本発明の実施の形態を添付図面に従って説明する。
【００１２】
＜第１参考例＞
図１は、第１参考例にかかる画像表示装置のブロック図を示す。画像表示装置は、画像の表示を行う画像表示部１と、画像表示装置自体の撓みを検出する撓み検出部２と、入力された画像データを二次元座標で管理する入力ページメモリ部３と、画像の編集処理を行う編集処理部４と、出力する画像データを二次元座標で管理し出力する出力ページメモリ部５と、以上の各部を制御する全体制御部６とからなっている。
【００１３】
画像表示部１は、図２に示すように、所定の色に染色された分散媒７に帯電された顔料粒子８を分散させた分散液をマイクロカプセル９内に封入し、該マイクロカプセル９を、対向電極１０が配設された対向基板１１の第１面と透明電極１２が配設された第１透明基板１３との間、及び対向電極１４が配設された対向基板１１の第２面と透明電極１５が配設された第２透明基板１６との間に、それぞれ行方向と列方向に２次元配列で整然と敷き詰めたものである。対向基板１１、第１透明基板１３、第２透明基板１６は可撓性を有し、折り曲げ自在になっている。対向電極１０，１４、透明電極１２，１５は、個々のマイクロカプセル９に対応して配置された分割電極である。各電極毎にスイッチ素子が設けられ、図示しないマトリクス駆動回路から行毎に選択信号が印加され、さらに各列に制御信号と図示しない駆動トランジスタからの出力が印加されて、所望のマイクロカプセル９に対して各々独立して所望の電界を印加できるようになっている。
【００１４】
顔料粒子８が負に帯電しているものとすると、表面の透明基板１３側では、透明電極側１２が正、対向電極１０側が負に印加されると、顔料粒子８は透明電極１２側に泳動し、逆に印加されると顔料粒子８は対向電極１０側に泳動する。この結果、透明電極１２側からみると、顔料粒子８の色が見えるマイクロカプセル９と分散媒７の色が見えるマイクロカプセル９により、全体として画像が表示される。裏面の第２透明基板１６側も同様に表示される。
【００１５】
撓み検出部２は、図３に示すように、Ｕ字形に折り返された長さの異なる３本の光ファイバ１７Ａ，１７Ｂ，１７Ｃと、各光ファイバ１７Ａ，１７Ｂ，１７Ｃの一端に光を導入するＬＥＤ等の発光源１８Ａ，１８Ｂ，１８Ｃと、各光ファイバ１７Ａ，１７Ｂ，１７Ｃの他端からの光の光量を検出する光センサ１９Ａ，１９Ｂ，１９Ｃとからなっている。光ファイバ１７Ａ，１７Ｂ，１７Ｃは、画像表示部１の一端側（本第１参考例では左側）に並行に配設されている。ここで、光ファイバ１７Ａは、画像表示部１の下端から３つ目の折り目ａに達するまでの長さを有し、その折り目ａに対応する位置に微小な切り込み２０Ａが形成されている。光ファイバ１７Ｂは、画像表示部１の下端から２つ目の折り目ｂに達するまでの長さを有し、その折り目ｂに対応する位置に微小な切り込み２０Ｂが形成されている。光ファイバ１７Ｃは、画像表示部１の下端から１つ目の折り目ｃに達するまでの長さを有し、その折り目ｃに対応する位置に微小な切り込み２０Ｃが形成されている。
【００１６】
画像表示部１がほぼ平面の状態では、図４（ａ）に示すように、発光源１８Ａ，１８Ｂ，１８Ｃより各光ファイバ１７Ａ，１７Ｂ，１７Ｃに導入された光は各光ファイバ１７Ａ，１７Ｂ，１７Ｃ内を進行して光センサ１９Ａ，１９Ｂ，１９Ｃに達し、発光源１８Ａ，１８Ｂ，１８Ｃの光量のほぼ１００％を検出する。しかし、画像表示部１がいずれかの折り目２０で撓まされる（折られる）と、これに伴って各光ファイバ１７Ａ，１７Ｂ，１７Ｃも折り曲げられて、図４（ｂ）に示すように、各折り目ａ，ｂ，ｃと対応する位置の切り込み２０Ａ，２０Ｂ，２０Ｃが開くので、各光ファイバ１７Ａ，１７Ｂ，１７Ｃに発光源１８Ａ，１８Ｂ，１８Ｃより導入された光が漏出し、光センサ１９Ａ，１９Ｂ，１９Ｃで検出される光量が減少する。このように、光センサ１９Ａ，１９Ｂ，１９Ｃが検出した光量によって、画像表示部１のどの位置でどの程度の撓まされたのかが検出される。
【００１７】
すなわち、図５（ａ）に示すように、画像表示部１の折り曲げの無い場合、各光ファイバ１７Ａ，１７Ｂ，１７Ｃから漏れる光が無いため、各光センサ１９Ａ，１９Ｂ，１９Ｃの光量が大きい。図５（ｂ）に示すように、画像表示部１が折り目ｃで折り曲げられると、光ファイバ１７Ｃの切り込み２０Ｃから光の漏れが生じるため、光センサ１９Ｃの光検出量は他の２つの光ファイバ１７Ｂ，１７Ｃよりも小さくなる。図５（ｃ）に示すように、画像表示部１が折り目ｂで折り曲げられると、光ファイバ１７Ｂの切り込み２０Ｂから光の漏れが生じるため、光センサ１９Ｂの光検出量は他の２つの光ファイバ１７Ａ，１７Ｃよりも小さくなる。このようにして、各光センサ１９Ａ，１９Ｂ，１９Ｃで検出される光量が所定の閾値よりも小さいか否かを判別することにより、いずれの折り目ａ，ｂ，ｃで画像表示部１が折り曲げられているかを検出することができる。
【００１８】
前記撓み検出部２の検出結果とその撓みに対応する編集処理の内容を表１に示す。ここで、各折り目ａ，ｂ，ｃの折り曲げ状態は、折り曲げられた状態を○、折り曲げられていない状態を×で示す。エリア１，２，３，４は、図６に示すように、画像表示領域２１が折り目ａ，ｂ，ｃによって制限される表示領域を示す。
【００１９】
【表１】
2010211211.tif 000003
【００２０】
図７は、折り曲げ位置とそのときに表示される画像の例を示す。図７（ａ）は、折り曲げの無い状態を示し、画像データを縮小変倍することなく表示する。図７（ｂ）は、折り目ｃで下から４分の１を折り曲げられた場合の状態を示し、折り目ｃより上に制限されたエリア１，２，３は画像データを７５％縮小して表示し、折り目ｃより下に制限されたエリア４は画像データを２５％縮小して表示する。図７（ｃ）は、折り目ａで上から４分の１を折り曲げられ、折り目ｃで下から４分の１を折り曲げられた場合の状態を示し、折り目ａより上および折り目ｃより下に制限されたエリア１，４は画像データを２５％縮小して表示し、折り目ａと折り目ｃで挟まれる中央に制限されたエリア２，３は画像データを５０％縮小して表示する。図７（ｄ）は、折り目ａで上から４分の１、折り目ｂで上から２分の１の部分、折り目ｃで下から４分の１の部分が、折り曲げられた場合の状態を示し、各制限されたエリア１，２，３，４には、それぞれ画像データを２５％縮小して表示する。
【００２１】
以上の構成からなる画像表示装置の動作を説明すると、外部より転送された画像データは入力ページメモリ部３に記憶される。入力ページメモリ部３では、画像データは二次元座標で管理され、編集処理部４で編集された後、出力ページメモリ部５で二次元座標で管理され、画像表示部１に表示される。一方、撓み検出部２の各光センサ１９Ａ，１９Ｂ，１９Ｃにて画像表示部１の折り曲げ状態が検出されると、その折り曲げ情報は全体制御部６に転送される。全体制御部６は、折り曲げ情報を編集処理部４に転送し、その折り曲げ情報に応じた画像編集を行って、編集された画像データを出力ページメモリ部５に転送し、さらに画像表示部１に出力する。これにより、画像表示部１には、折り曲げ状態に応じて編集処理された画像が表示される。
【００２２】
すなわち、画像表示部１の折り曲げ位置に応じて画像表示領域が制限され、制限された各エリアに画像データが縮小表示されるので、ユーザは、折り曲げたどのエリアにおいても全画面を見ることができる。このように、画像表示装置１を折り曲げるだけで、簡単に画像を縮小処理することができる。したがって、混んだ電車内で画像表示部１を折り曲げても、全表示を見ることができる。
【００２３】
前記第１参考例では、横方向の画像表示部１の折り曲げを検出しているが、この代わりに縦方向の折り曲げを検出し、あるいは横方向と縦方向の両方の折り曲げを検出して、その折り曲げ状態に応じて画像を縮小表示するようにしてもよい。
【００２４】
＜第２参考例＞
前記第１参考例では、折り曲げによって制限されたエリアに画像を縮小して表示する例であるが、第２参考例では、折り曲げられて制限されたエリアのレイアウトを表示するものである。第２参考例の画像表示装置のブロック図およびその撓み検出部は第１参考例と実質的に同一であり、説明を省略する。
【００２５】
図８は、レイアウト変更処理の一例を示す。図８（ａ）は折り曲げの無い状態を示し、画像データのレイアウトを変更することなく表示する。図８（ｂ）は、右から４分の１の位置で折り曲げられた場合を示し、表示可能領域を折り目の両側のエリアのうち広い方のエリアに制限し、文字情報は、折り目で途切れないように次の行に折り返して表示可能領域内に表示し、それに伴って文字情報は下方に移動させるが、縮小は行わない。
【００２６】
図９は、レイアウト変更処理の他の例を示す。この例は、画像表示部１は表と裏の両面に画像を表示している。また、撓み検出部２も両面に配設され、どの位置でどの側を谷または山に折り曲げているかを検出する。すなわち、表が凸になるように折り曲げると、表面の光ファイバ１７Ａ，１７Ｂ，１７Ｃの切り込み２０Ａ，２０Ｂ，２０Ｃが開き、図示しない裏面の光ファイバの切り込みが閉じるため、表の光センサ１９Ａ，１９Ｂ，１９Ｃの光量が小さく、裏の光センサの光量が大きい場合は、表が山に折り曲げられことを検出でき、逆の場合は、表が谷に折り曲げられことを検出できる。
【００２７】
図９において上段に示すように、表面および裏面の画像表示領域にそれぞれ画像データに従って画像が表示され、下段の図に示すように下から４分の１の折り目で表が谷になるように折り曲げられたとすると、中段の図に示すように谷に折り曲げられている表面の画像表示領域にはレイアウトを変更することなく表示し、山に折り曲げられている裏面は画像データを１８０°回転して表示する。これにより、下段の図に示すように、表面側に折り返された裏面の画像を上から同時に見ることができる。
【００２８】
図１０は、レイアウト変更処理のさらに他の例であって、図９の変形例を示す。この例は、中段の図に示すように、表面に折り返される裏面の下から４分の１のエリアの画像データのみを１８０°回転して表示する。これにより、下段の図に示すように、表面側に折り返された裏面の画像を同時に見ることができる。
【００２９】
なお、第１参考例と第２参考例とを組み合わせて、画像の縮小とレイアウトの変更を同時に行ってもよい。すなわち、図１０の下段の図において、表面の見えている表面のエリアに表面の画像データを縮小して表示し、表面に折り返された裏面のエリアに裏面の画像データを１８０°回転しかつ縮小して表示することで表面と裏面の画像データの全体を同時に見ることができる。
【００３０】
＜本発明の実施形態＞
図１１は、本発明の実施形態にかかる画像表示装置を示す。この画像検出装置は、撓み検出部２の配置と、その編集処理の内容がページ送りである以外は、前記第１参考例と実質的に同一のブロック構成を有しているので、図１のブロック図を流用する。
【００３１】
撓み検出部２は、前記第１参考例と同様に切り込み２０が形成された光ファイバ１７と、発光源１８と、光センサ１９とからなり、画像表示領域２１の右半分の中央に左右方向に配設されている。図１２（ａ）に示すように、画像表示部１に折り曲げが無い場合、光ファイバ１７の切り込み２０が閉じているので、光センサ１９の検出光量は大きい。図１２（ｂ）に示すように、画像表示部１に弱い折り曲げがある場合、光ファイバ１７の切り込み２０が僅かに開いて光がわずかに漏れるので、光センサ１９の検出光量が所定の閾値１より小さくなるので、ページ送り有り（遅い送りスピード）が検出される。図１２（ｃ）に示すように、画像表示部１に強い折り曲げがある場合、光ファイバ１７の切り込み２０が大きく開いて光が多量に漏れるので、光センサ１９の検出光量が所定の閾値２より小さくなるので、ページ送り有り（速い送りスピード）が検出される。
【００３２】
以上の構成からなる画像表示装置の動作を説明すると、外部より転送された画像データは入力ページメモリ部３に記憶される。入力ページメモリ部３では、画像データは二次元座標で管理され、編集処理部４で編集された後、出力ページメモリ部５で二次元座標で管理され、画像表示部１に表示される。一方、撓み出部２の光センサ１９にて画像表示部１の折り曲げ状態が検出されると、その折り曲げ情報は全体制御部６に転送される。全体制御部６は、折り曲げ情報を編集処理部４に転送し、その折り曲げ情報に応じた送りスピードでページ送りを行って、次のページの画像データを出力ページメモリ部５に転送し、さらに画像表示部１に出力する。これにより、画像表示部１には、折り曲げ状態に応じてページ送りされた画像が表示される。
【００３３】
具体的には、図１２（ａ）に示すように、画像表示部１に撓みがほとんど無いとき、すなわち光センサ１９の光量が閾値１以上であるとき、出力ページメモリ部５に格納する画像データの変更は行わない。図１２（ｂ）に示すように、画像表示部１がある程度撓んでいるとき、すなわち光センサ１９の検出光量が閾値２以上閾値１以下（閾値２＜閾値１）のときには、出力ページメモリ部５に格納する画像データをページ単位で予め決められた速度Ｖ１で順次送る。図１２（ｃ）に示すように、画像表示部１がより強く撓んでいるとき、すなわち光センサ１９の検出光量が閾値２以下のときには、出力ページメモリ部５に格納する画像データをページ単位で予め決められた速度Ｖ２（Ｖ１＜Ｖ２）で順次送る。これにより、ユーザは、実際に本を読むときにページを繰るような動作で画像表示部１を撓ませるだけで、ページ送りをすることができる。
【００３４】
なお、前記実施形態は、ページ送りのみを行っているが、画像表示部１の表面の撓み検出部２に加えて、裏面にも画像表示部１が表が谷に折り曲げられたことを検出する撓み検出部を設けて、画像表示部１が山に折り曲げられればページ送り、谷に折り曲げられればページ戻しを行うようにしてもよい。あるいは、画像表示部１の左半分に、右半分の撓み検出部２と同様に撓み検出部設けて、画像表示部１の右側が山に折り曲げられればページ送り、左側が山に折り曲げられればページ戻しを行うようにしてもよい。
【００３５】
また、以上の参考例及び実施形態では、撓み検出手段１として、切り込み２０Ａ，２０Ｂ，２０Ｃ，２０のある光ファイバ１７Ａ，１７Ｂ，１７Ｃ，１７、発光源１８Ａ，１８Ｂ，１８Ｃ，１８および光センサ１９Ａ，１９Ｂ，１９Ｃ，１９で構成したが、これに限らず、電気的に撓みを検出するものでもよい。以下、他の撓み検出手段の例を説明する。
【００３６】
図１３の撓み検出手段は、画像表示部１の端部に折り目（水平方向）に直交する方向に配設された可撓性導電部材２２と、該可撓性導電部材２２の両端に抵抗２３を介して接続された電源２４と、抵抗２３の両端の電圧を検出する電圧センサ２５とから構成されている。可撓性導電部材２２は、図１４に示すように画像表示部１の表面に片面が露出するように埋設されている。前記可撓性導電部材２２は、可変抵抗器として作用する。すなわち、図１５に示すように、画像表示部１を折り曲げると、可撓性導電部材２２の任意の点（例えば図１３のＡ点とＢ点）が接触して、可撓性導電部材２２の抵抗値が変化し、抵抗の両端の電位差が変動する。予め、折り曲げ位置と電圧を対応させておくことにより、電圧センサ２５による検出電圧によって画像表示部１の撓みと位置を検出することができる。なお、図１６に示すように、可撓性導電部材２２を画像表示部１の表面と裏面の両面に埋設することで、画像表示部１のどちらの面を山あるいは谷に折り曲げているかを検出することができる。
【００３７】
図１７の撓み検出手段は、画像表示部１の端部に折り目に直交する方向に一定間隔で配設された複数の光センサ２６Ａ，２６Ｂ，２６Ｃ，２６Ｄからなっている。これらの光センサ２６Ａ，２６Ｂ，２６Ｃ，２６Ｄは、図１８に示すように画像表示部１の表面にそれらの検出面が露出するように埋設されている。画像表示部１が折り曲げられると、折り曲げられた部分によって覆われる光センサ２６Ａ，２６Ｂ，２６Ｃ，２６Ｄの検出光量が減少する。すなわち、図１９（ａ）に示すように、折り曲げがないときは、各センサ２６Ａ，２６Ｂ，２６Ｃ，２６Ｄの検出光量は大であるが、図１９（ｂ）に示すように折り曲げ量が小さく、光センサ２６Ｄだけが折り曲げられた部分によって覆われると、光センサ２６Ａ，２６Ｂ，２６Ｃは検出光量が大きいが、光センサ２６Ｄは検出光量が小さい。さらに、図１９（ｃ）に示すように折り曲げ量が大きく、光センサ２６Ｂ，２６Ｃ，２６Ｄが折り曲げられた部分によって覆われると、光センサ２６Ｂは検出光量が大きいが、光センサ２６Ｂ，２６Ｃ，２６Ｄは検出光量が小さい。このようにして、画像表示部１の撓みと位置を検出することができる。なお、図２０に示すように、各光センサ２６Ａ，２６Ｂ，２６Ｃ，２６Ｄを画像表示部１の表面と裏面の両面に埋設することで、画像表示部１のどちらの面を山あるいは谷に折り曲げているかを検出することができる。
【００３８】
なお、以上の参考例及び実施形態では、画像表示部として電気泳動方式のもの用いたが、本発明はこれに限定されるものではなく、液晶表示装置にも適用することができる。
【符号の説明】
【００３９】
１  画像表示部
２  撓み検出部
３  入力ページメモリ部
４  編集処理部
５  出力ページメモリ部
６  全体制御部
【図１】
2010211211.tif 000004
【図２】
2010211211.tif 000005
【図３】
2010211211.tif 000006
【図４】
2010211211.tif 000007
【図５】
2010211211.tif 000008
【図６】
2010211211.tif 000009
【図７】
2010211211.tif 000010
【図８】
2010211211.tif 000011
【図９】
2010211211.tif 000012
【図１０】
2010211211.tif 000013
【図１１】
2010211211.tif 000014
【図１２】
2010211211.tif 000015
【図１３】
2010211211.tif 000016
【図１４】
2010211211.tif 000017
【図１５】
2010211211.tif 000018
【図１６】
2010211211.tif 000019
【図１７】
2010211211.tif 000020
【図１８】
2010211211.tif 000021
【図１９】
2010211211.tif 000022
【図２０】
2010211211.tif 000023